(57)【要約】【課題】マグネットローラの個々の磁極について、簡便に磁力線を調整し得、磁極特性の試験や微調整に好適に採用することができるマグネットローラの磁力線調整方法を提供することを目的とする。【解決手段】複数の磁極を有する円筒状又は円柱状の磁性体層３を有するマグネットローラの個々の磁極の磁力線を調整する方法であって、ローラ表面の目的とする磁極上又はその周囲に磁性材料からなる調整板１を貼付して、当該磁極の磁力線を変化させることを特徴とするマグネットローラの磁力線調整方法を提供する。【選択図】図１
2010276739.tif 000002
【特許請求の範囲】
【請求項１】
複数の磁極を有する円筒状又は円柱状の磁性体層を有するマグネットローラの個々の磁極の磁力線を調整する方法であって、ローラ表面の目的とする磁極上又はその周囲に磁性材料からなる調整板を貼付して、当該磁極の磁力線を変化させることを特徴とするマグネットローラの磁力線調整方法。
【請求項２】
上記調整板の材質、厚み、幅、貼付位置、又はこれらの組み合わせを変更することにより、磁力線を調整する請求項１記載のマグネットローラの磁力線調整方法。
【請求項３】
上記調整板が鉄板である請求項１又は２記載のマグネットローラの磁力線調整方法。
【請求項４】
上記調整板を目的とする磁極上又はその周囲に貼付することにより、当該磁極の磁力線の半値幅を調整する請求項１〜３のいずれか１項記載のマグネットローラの磁力線調整方法。
【発明の詳細な説明】
【技術分野】
【０００１】
本発明は、マグネットローラの個々の磁極の磁力線を簡単に調節することができるマグネットローラの磁力線調節方法に関する。
【背景技術】
【０００２】
複写機、プリンタ等の電子写真装置や静電記録装置などにおいて、感光ドラム等の潜像保持体上の静電潜像を可視化する現像ローラとして、回転するスリーブ内に樹脂磁石により成形されたマグネットローラを配設し、スリーブ表面に担持した磁性現像剤（トナー）を該マグネットローラの磁力特性により潜像保持体上に飛翔させる所謂ジャンピング現象によって、潜像保持体表面にトナーを供給し、静電潜像を可視化する現像方法が知られている。
【０００３】
上記マグネットローラは、ナイロンやポリプロピレン等の熱可塑性樹脂のバインダーに磁性粉体を混合分散した樹脂磁石組成物を、射出成形又は押出成形することによってローラ状に成形し、所望の磁気特性に着磁することにより製造されているが、近年の電子写真装置等の進歩に伴って、マグネットローラに対してもより複雑な磁力パターンが要求される傾向にあり、この要求に応えるため、マグネットローラの個々の磁極について磁力線を調整、変更する必要が生じる場合があり、例えば個々の磁極の半値幅を大きくするように磁力線を調節する必要が生じることがある。
【０００４】
従来、マグネットローラの磁力線を変更する方法としては、例えば、シャフトの磁力を上げる磁極に対応する部分をくり抜き、ここに磁石を充填する方法（特許文献１：特開平５−２９１０２８号公報）や、着磁条件を変える方法（特許文献２：特開２００３−２４３２２５号公報）が知られている。
【０００５】
しかしながら、前者の方法ではシャフトに加工を施すことが必要であり、試験的に磁力線を調整するには手間がかかりすぎ、簡便性の点に大きな課題がある。また、後者の着磁条件を変更する方法でも、着磁ヨークの先端鉄心部分を色々と取り替える必要があり、やはり大掛かりなものになりがちで、簡便性の課題が残る。
【先行技術文献】
【特許文献】
【０００６】
【特許文献１】特開平５−２９１０２８号公報
【特許文献２】特開２００３−２４３２２５号公報
【発明の概要】
【発明が解決しようとする課題】
【０００７】
本発明は上記事情に鑑みなされたもので、マグネットローラの個々の磁極について、簡便に磁力線を調整し得、磁極特性の試験や微調整に好適に採用することができるマグネットローラの磁力線調整方法を提供することを目的とする。
【課題を解決するための手段】
【０００８】
本発明者らは、上記の課題を解決するために鋭意検討した結果、マグネットローラ表面の目的とする磁極上又は周囲に鉄板等の磁性材料からなる調整板を貼付することにより、当該磁極の磁力線を他の磁極に影響することなく変更、調節することができ、個々の磁極について例えば磁力線の半値幅を比較的自由に変更することができ、しかも上記調整板の貼付位置、厚み、材質などを変更することにより、容易に磁力線の調整を行うことができ、磁極特性の試験や実機での微調整を容易かつ良好に行い得ることを見出し、本発明を完成したものである。
【０００９】
従って、本発明は、
（１）複数の磁極を有する円筒状又は円柱状の磁性体層を有するマグネットローラの個々の磁極の磁力線を調整する方法であって、ローラ表面の目的とする磁極上又はその周囲に磁性材料からなる調整板を貼付して、当該磁極の磁力線を変化させることを特徴とするマグネットローラの磁力線調整方法を提供するものである。
【００１０】
また、本発明は、より具体的な実施態様として、下記（２）〜（４）のマグネットローラの磁力線調整方法を提供する。
（２）上記調整板の材質、厚み、幅、貼付位置、又はこれらの組み合わせを変更することにより、磁力線を調整する上記（１）のマグネットローラの磁力線調整方法。
（３）上記調整板が鉄板である上記（１）又は（２）のマグネットローラの磁力線調整方法。
（４）上記調整板を目的とする磁極上又はその周囲に貼付することにより、当該磁極の磁力線の半値幅を調整する（１）〜（３）のいずれかに記載のマグネットローラの磁力線調整方法。
【発明の効果】
【００１１】
本発明のマグネットローラの磁力線調整方法によれば、マグネットローラの個々の磁極について、磁力線を比較的自由に変更することができ、しかも調整板を貼付するという比較的簡易な方法によって容易に磁力線の調整を行うことができ、磁極特性の試験や実機での微調整を容易かつ良好に行うことができるものである。
【図面の簡単な説明】
【００１２】
【図１】本発明のマグネットローラの磁力線調整方法を具体的に説明する説明図である。
【図２】実施例で本発明方法により磁力線の調整を行ったマグネットローラの磁力線を示す磁力チャートである。
【発明を実施するための形態】
【００１３】
本発明のマグネットローラの磁力線調整方法は、上記のように、マグネットローラ表面の目的とする磁極上又は周囲に磁性材料からなる調整板を貼付することにより、当該磁極の磁力線を調整するものであり、例えば、図１に示したように、Ｎ極を２極（Ｎ１、Ｎ２）、Ｓ極を２極（Ｓ１、Ｓ２）の４曲の磁極を有するマグネットローラの表面に、目的とする磁極Ｎ２上に調整板１を貼付することにより、Ｎ２極の磁力線を変更調整するものである。
【００１４】
この場合、上記マグネットローラは、複数の磁極を有する円柱状又は円筒状の磁性体層を有するものであればよく、例えば図１に示されているように、シャフト２の外周に複数の磁極（図では上記ように４極）を有する円筒状の磁性体層３を形成した通常のマグネットローラとすることができ、この場合シャフト２や磁性体層３の材質や形態などに制限はなく、種々のマグネットローラに本発明を適用することができる。また、場合によってはシャフト２と磁性体層３との間に他の層を設けたり、磁性体層３とシャフト２が一体的に成形されたものであってもよく、更には磁性体層３の外周に表皮層が形成されたものであってもよい。
【００１５】
上記調整板１は、磁性材料からなる板状のものであればよく、材質としては鉄、フェライト系ステンレススチール、マルテンサイト系ステンレススチール、析出硬化系ステンレススチールなどの軟磁性材料が例示され、種々選択して用いることができるが、特に保磁力、透磁率、加工コストなどの関係から鉄板が好ましく用いられる。
【００１６】
本発明は、この調整板１をローラ表面の所望の磁極（図１ではＮ２極）の上又はその周囲に貼付して、当該磁極（Ｎ２）の磁力線を調整するものであり、通常は調整板１を磁極上に張り付けることにより、磁力線の半値幅を広げることができる。この場合、通常は均一幅、均一厚みの調整板１をマグネットローラの所定角度位置に軸方向に沿って正確に貼付し、長さ方向に沿って均一な磁力特性が得られるようにする。
【００１７】
ここで、上記調整板１の厚み、幅、貼付位置を適宜変更調整することにより、更に磁力線を微調整することができる。この場合、調整板１の厚みは、マグネットローラとその外側に配置される現像スリーブとの間隔に応じてマグネットローラの回転に支障のない範囲であればよく、特に制限されるものではないが、通常は０．１〜１ｍｍ、特に０．２〜０．８ｍｍのとすることが好ましい。この調整板１の厚みは、通常は厚くするほど貼付位置の磁力を上げることができる。
【００１８】
また、調整板１の幅の調整範囲は、ローラの直径や磁極の数などに応じて適宜選定され、特に制限されるもではないが、通常は１〜１０ｍｍ、特に１〜５ｍｍの範囲で調整することが好ましい。この調整板１の幅は、通常は広くするほど、磁力線の存在幅（周方向）を広くすることができる。
【００１９】
更に、調整板１の貼付位置の調整は、目的とする磁極上又は他極に影響しない範囲で目的とする磁極の周囲とすることができ、種々調整して差し支えないが、通常は調整板１の少なくとも一部が磁極の中心上に位置する範囲とすることが好ましい。この貼付位置の調整は、通常は調整板１の貼付位置を磁極の中心からずらすことにより、磁力線を変形させることができるものである。
【００２０】
上記調整板１の貼り付けは、適宜な接着剤や粘着テープなどを用いて行うことができ、これら接着剤や粘着テープは、磁力線に影響を与えないものであれば、いずれのものであってもよい。
【００２１】
なお、図１では、４極構成のマグネットローラにつき１つの磁極に対して調整板１による調整を施した例を示したが、本発明はこれに制限されるものではなく、２極や３極又は５極以上の磁極を有するマグネットローラにも好適に採用され、また複数の磁極について調整板１による磁力線の調整を行うこともできる。
【００２２】
本発明の磁力線の調整方法は、上記のように、マグネットローラ表面の所望の磁極Ｎ２上又はその周囲に調整板１を貼付するだけの簡単な操作で、当該磁極Ｎ２の磁力線を変更調整することができ、例えば電子写真装置の現像機構の開発時における、マグネットローラの磁力特性の検討時や試作時に、磁力線を変更して試験を行う場合などに好適に使用され、また実機装着時の微調整にも好適に使用することができる。
【実施例】
【００２３】
以下、実施例，比較例を示し、本発明をより具体的に説明するが、本発明は下記実施例に制限されるものではない。
【００２４】
鉄（ＳＵＭ２３）製シャフト（直径６ｍｍ、長さ２４０ｍｍ）２の外周に磁性粉としてフェライト粉を分散したナイロン樹脂からなる磁性体層３（厚み５．５ｍｍ）を形成した図１のローラと同様の構成で４極の磁極を有するマグネットローラを用意した。
【００２５】
このマグネットローラのＮ２極上に幅２ｍｍの鉄板１を若干中心をずらした状態に貼り付け、各磁極の磁力線を測定した。この場合、ロール中心より１０ｍｍの位置で周方向磁力をベル社製のガウスメータ用いて測定した。また、鉄板１の貼り付けには粘着テープを用い、厚さの異なる２枚の鉄板を用いて、それぞれ磁力線の測定を行った。このマグネットローラの磁極の半値幅の変化を表１に、磁力線の測定チャートを図２にそれぞれ示す。
【００２６】
【表１】
2010276739.tif 000003
【００２７】
表１及び図２に示されているように、本発明の磁力線の調整方法により、簡単にマグネットローラの所望の磁極の磁力線を変更調整することができ、特に半値幅を簡単に調整し得ることが認められる。
【符号の説明】
【００２８】
１  調整板
２  シャフト
３  磁性体層
Ｎ１、Ｎ２、Ｓ１、Ｓ２  磁極
【図１】
2010276739.tif 000004
【図２】
2010276739.tif 000005